(57)【要約】【課題】安全で簡単かつ瞬時に解体作業が出来る紙容器解体器を提供する。【解決手段】紙容器下側面長辺方向中央を切断する山形状側面刃２１ｂを受け入れる固定筒溝１０と紙容器底部面すれすれの側面３箇所を切断する山形状前面刃２１ａを受け入れる突起９を設けた固定筒７を収めた固定部１と、山形状側面刃と山形状前面刃をＴ字形に接着固定した切断刃基台２２を収めた切断部１５からなり、固定部両側面外部に凸状スライド面１３ｂを設け、切断部両側面内部に凹状スライド溝１７ｂを設け、凹状スライド溝に凸状スライド面を差し込み、切断部に固定部を垂直に押し下げる事を可能にし、固定部内の固定筒に紙容器の紙容器開口部を挿入し、固定部の取っ手を押し下げる事で紙容器が切断され、切断部の押し上げバネにより固定部が押し上げられ、解体された紙容器を取り出せる。【選択図】図２
2014161999.tif 000002
【特許請求の範囲】
【請求項１】
紙容器を挿入して切断位置を合わせ固定する紙容器内体積状の筒で、筒の下側面長辺方向中央に山形状側面刃を受け入れ可能な溝を設け、筒の前面上部に突起を設け、山形状前面刃の受け入れ可能な空間を設けた固定筒を収めた固定部を上部に配置し、下部に紙容器を切断する為の、山形状側面刃と山形状前面刃をＴ字形に接着固定した切断刃基台を収めた切断部から構成され、切断部の両側面内側に凹状スライド溝を設け、固定部両側面外側に凸状スライド面を設け、凹状スライド溝に凸状スライド面を挿入し切断部に固定部が垂直に押し下げ可能にした、凸状スライド面長辺方向中央に枠状のはずれ防止溝を設け、切断部中央上部にはずれ防止ネジを設けて、はずれ防止溝にはずれ防止ネジを差し込み、切断部と固定部の離れを防ぎ一対形にし、固定部が切断部に垂直に押し下げた後に、切断部に取り付けた押し上げバネにより固定部が押し上げられる構造が特徴の紙容器解体器。
【請求項２】
固定筒は紙容器内体積状の角状の筒で、紙容器を紙容器開口部から覆い被せるように挿入して固定でき、筒の前面上部に突起を設け紙容器底部面すれすれの側面３箇所を切断する山形状前面刃を受け入れる空間と、筒の下側面長辺方向中央に紙容器下側面長辺方向中央を一直線に切断する山形状側面刃を受け入れる固定筒溝を設た固定筒で、固定筒後部外面の１平面で固定部後部内面に接着固定されているのが特徴の請求項１に記載の紙容器解体器。
【請求項３】
山形状側面刃は、山形の刃を複数個直線に並べ山形の各頂点から紙容器下側面長辺方向中央を一直線に切り開き、山形状前面刃は、山形の刃を３個直線に並べ、両端の刃は紙容器底面の１辺より広く、間の刃は両端の刃より低い位置にした、この形状により両端の刃で紙容器底部面すれすれの両側面から切断出来、間の刃により紙容器底部面すれすれの下側面が切断出来る、前記形状の山形状側面刃と山形状前面刃がＴ字形に切断刃基台に接着固定され、切断部の底面長辺方向中央に設置したレール溝に、切断部後部面を外し、切断刃基台を出し入れ可能にし、切断刃の交換も可能にした構造が特徴の請求項１、請求項２に記載の紙容器解体器。
【請求項４】
固定部の上部に取っ手を設け、取っ手の上部に取っ手アームを取り付け、取っ手の後部でアームピンにより取っ手アームが上下移動を可能にし、固定筒上部の突起下中央からロッドを固定筒後部面近くまで配置し、取っ手アーム後部先端をロッド先端のロッド溝に差し込み、取っ手アーム後部にアームバネを取り付けた構造により、取っ手アームを手で押し下げると取っ手アームが取っ手内部に入り込み、ロッドが固定筒の突起下に隠れ、手を離すとアームバネの作用により突起前方に飛び出す、前記構造により切断された紙容器底部面がロッドの飛び出しにより固定部外に出て、解体された紙容器を手で容易に引き出せる、紙容器を挿入せずに取っ手アームを押し下げると切断部のロッド穴にロッドが入り固定部が切断部に押し下げられた状態で保管可能で、取っ手前面のロックツマミで取っ手アームの固定が可能である、前記構造が特徴の請求項１、請求項２、請求項３に記載の紙容器解体器。
【発明の詳細な説明】
【技術部分野】
【０００１】本発明は、牛乳パック等の紙容器を解体する紙容器解体器具に関する。
【背景技術】
【０００２】牛乳パック等の紙容器はリサイクル利用が出来る為、平面状に切り開く必要がある、そのため鋏やカッター等を使って解体していた、それにより危険で手に負担がかかり時間もかかって面倒であった。
【発明の概要】
【発明が解決しようとする課題】
【０００３】本発明は、従来面倒で時間もかかっていた牛乳パック等の紙容器を解体する為の刃を、箱の内部に収め、外部に露出することなく安全で、簡単かつ瞬時に切断出来るようにした紙容器解体器具を提供するものである。
【課題を解決するための手段】
【０００４】以上の課題を解決する為に、本発明の紙容器解体器は、上部に紙容器を挿入して切断位置を合わせて固定する紙容器内体積形状の筒で、筒の下側面長辺方向中央に山形状側面刃の受け入れ可能な溝を設け、筒の前面上部に突起を設けて山形状前面刃の受け入れ可能な空間を設けた固定筒を収めた固定部と、下部に紙容器を切断する為の山形状側面刃と山形状前面刃を収めた切断部から構成され、切断部の切断刃に、固定部の固定筒に挿入固定された紙容器を押し下げて切断する為に、凹状スライド溝を切断部両側面の内側に設け、固定部両側面の外側に凸状スライド面を設け、前記凹状スライド溝に凸状スライド面を差し込み上下にスライド可能にし、凸状スライド面長辺方向中央にはずれ防止溝を設け、切断部両側面にはずれ防止ネジを取り付け、はずれ防止溝にはずれ防止ネジをねじり込み、固定部と切断部を一対形にした、前記はずれ防止溝は枠状の溝で固定部の上下スライド時に切断部のはずれ防止ネジにより、切断部と固定部の離れを防ぐものである、前記のような構造により、固定部を押し下げる事で、紙容器に切断刃が刺さり込み紙容器が切断される、紙容器の切断後、固定部を元の位置に戻すため、切断部の４隅に棒の先端にローラーを取り付けバネで引き上げた形状の、押し上げバネを設け固定部が押し上げられる構造である。【０００５】固定部の中の固定筒は、固定筒後部外面が固定部後部内面の一カ所で接着固定され、紙容器内体積状の角状の筒で紙容器の開口部を前記筒に覆い被せて紙容器の固定を可能にし、前記筒の前面上部に突起を設け紙容器底部面すれすれの側面３箇所を切断する山形状前面刃を受け入れる空間を設け、前記筒の下側面長辺方向中央に紙容器下側面長辺方向中央を切断する山形状側面刃を受け入れる固定筒溝を設けた。【０００６】切断部の中の切断刃は山形状側面刃と山形状前面刃がＴ字形に切断刃基台に接着固定され、切断部の底面長辺方向中央に設置したレール溝に、前記切断刃基台を出し入れ可能にし、切断刃の交換も可能な構造にした、山形状側面刃は紙容器の下側面長辺方向中央を一直線に切断する為に、山形の刃を複数個直線に並べたもので山形の各頂点から切り開くようにした為、少ない力で切断出来る、山形状前面刃は紙容器底部面すれすれの側面の３箇所を切断可能にする為、山形の刃を３個直線に並べ両端の刃先は紙容器底面の１辺より広くし、間の刃は両端の刃より低い位置に配置した、前記の形状により山形状前面刃により紙容器底部面すれすれの両側面から切断が始まり間の刃により紙容器底部面すれすれの下側面を切断し、山形状側面刃により紙容器下側面長辺方向中央が一直線に切断される。【０００７】切断された紙容器の取り出しと紙容器解体器の持ち運びや保管を容易にする為、固定部上部に取っ手を取り付け、取っ手上部面に取っ手アームを設け、取っ手の後部でアームピンを差し込み、取っ手アームの上下移動を可能にし、取っ手アーム後部にアームバネを取り付け、固定筒の突起下部からロッドを固定筒後部面近くまで長く配置し、取っ手アームの後部先端をロッド先端の溝にはめ込み、前記ロッドが固定筒の突起下で出し入れ可能に連結した、前記の構造により取っ手と取っ手アームを片手で握ることで、ロッドが固定筒の突起下に隠れ、紙容器を固定部の固定筒に挿入し固定部を押し下げ紙容器が切断され、取っ手から手を離す事でアームバネによりロッドが紙容器底部面を押し、切断部の押し上げバネにより固定部が押し上げられ切断部前面から紙容器底部面が外れると同時にアームバネで押されていたロッドにより切断された紙容器底部面が飛び出し、手で紙容器を取り出すことが出来る、また、紙容器を挿入せずに取っ手を握り固定部を押し下げると切断部のロッド穴にロッドが入り、切断部に固定部が押し下げられた状態で保管でき、取っ手の前面に取り付けたロックツマミで取っ手アームが固定できる。
【発明の効果】
【０００８】このような構造により、切断刃に一切触れず、紙容器を挿入し、固定部を押し下げるだけで切断され、手を離すだけで切断された紙容器の底部面が固定部の外に飛び出し、その部分を手で引き出し解体された紙容器を取り出すことが出来る為、とても安全で解体作業の効率も良い。
【図面の簡単な説明】
【０００９】
【図１】本発明の紙容器解体器の全体斜視図
【図２】本発明の紙容器解体器図１の側面中央を切断して内部構造を表した側面図
【図３】本発明の紙容器解体器上部の固定部とその内部の固定筒を表した斜視図
【図４】本発明の紙容器解体器の固定部図３の裏側面を表した斜視図
【図５】本発明の紙容器解体器下部の切断部を表した斜視図
【図６】本発明の紙容器解体器下部の切断部から切断刃を外した斜視図
【図７】本発明の紙容器解体器の切断刃と解体された紙容器を表した斜視図
【図８】本発明の紙容器解体器が紙容器底部面を切断前と切断後を表した斜視図
【図９】本発明の紙容器解体器の固定部の内部構造を表した側面図
【図１０】本発明の紙容器解体器が切断した紙容器を取り出す前を表した側面図
【図１１】本発明の紙容器解体器の持ち運びや保管時の内部構造を表した側面図
【図１２】本発明の紙容器解体器の取っ手部分の内部を拡大して表した斜視図
【図１３】本発明の紙容器解体器により平面状に切り開かれた紙容器を表した斜視図
【発明を実施するための形態】
【００１０】本発明の実施形態を図面により説明する。図１は本発明の紙容器解体器の全体を表した図である、図１によれば上部に固定部１を、下部に切断部１５を配置し、上部固定部１の内部に紙容器を挿入して固定する固定筒図３の７があり、固定部後部内面１１に固定筒後部外面１２が一カ所で接着固定されたものである、また前記固定筒７は紙容器内体積形状の角状の筒で、固定筒７の前面に配置した突起９の方向から紙容器の開口部図７の２５を固定筒図３の７に覆い被せて挿入し紙容器底部面図７の２６が突起図３の９に接触させて紙容器が固定される、前記突起９は山形状前面刃図７の２１ａの入り込む空間であり紙容器底部面すれすれの両側面２８と下側面２９を切断するものである、また前記固定筒図３の７の下側面長辺方向中央に固定筒溝１０を設け、紙容器下側面長辺方向中央図７の２７を一直線に切断する山形状側面刃図７の２１ｂの受け入れを可能にした。
【００１１】下部切断部図６の１５の内部の底面長辺方向中央にレール溝図６の２３を設置し、山形状側面刃と山形状前面刃がＴ字形に接着固定した切断刃基台図７の２２を前記レール溝に出し入れ可能な形状にし、切断部後部面図６の２０ｂを外して、切断刃の取り換えを可能にした、図５では切断部１５の内部に山形状前面刃２１ａと山形状側面刃２１ｂが収納された状態を表し、山形状側面刃は山形の刃が複数個一直線に並べた形状で、山形の各頂点から切り開くように切断する為、少ない力で紙容器の下側面長辺方向中央図７の２７を一直線に切断出来、山形状前面刃は紙容器底部面すれすれの両側面図７の２８と紙容器底部面すれすれの下側面２９の３箇所を切断するもので、山形の刃を３個直線に並んだ形状で、両端の刃先は紙容器底面の１辺より図８の３１のように刃幅を広くし、間の刃３２は両端の刃より低い位置に配置した、前記の形状により、山形状前面刃図８の２１ａの両端の刃により紙容器底部面すれすれの両側面２８から切断され、間の刃により下側面２９が切断される、また山形状側面刃図７の２１ｂにより紙容器下側面長辺方向中央図７の２７が一直線に切断される。
【００１２】固定筒を内部に収めた固定部図１の１を切断刃を内部に収めた切断部図１の１５に押し下げる為、図５の切断部１５の中央両側面の内側に凹状スライド溝１７ａと１７ｂを設け、図３の固定部両側面中央の外側に凸状スライド面１３ａと１３ｂを設け、凹状スライド溝に凸状スライド面を挿入して、固定部１が上下にスライド可能にし、固定部両側面中央の凸状スライド面１３ａ、１３ｂの長辺方向中央に枠状のはずれ防止溝１４ａと図４の１４ｂを設け、切断部両側面中央上部にはずれ防止ネジ図５の１８ａと１８ｂを設け、はずれ防止溝にはずれ防止ネジを差し込んで切断部と固定部のスライド時に離れを防ぎ一対構造にした、また固定部図１の１を手で切断部１５に押し下げた後に、切断部両側面の４カ所に取り付けた棒状の先端にローラーを取り付けバネで引きあげた形状の押し上げバネ図５の１９ａと１９ｂと１９ｃと１９ｄにより、固定部の押し上げバネレール図４の３０が押し上げられる構造である。
【００１３】切断された紙容器の取出しと紙容器解体器の持ち運びや保管を容易にする為、固定部上部に取っ手図１の２を取り付け、取っ手上部面に取っ手アーム５を設け、取っ手の後部で取っ手アームが上下移動可能な形状にする為アームピン４ａを差し込み、取っ手アーム後部にアームバネ図２の６を取り付け取っ手アームを手で押し下げた後に押し戻される構造にし、固定筒の突起９の下部からロッド８ａを固定部後部面近くまで長く配置し、取っ手アームのアーム後部先端４ｂをロッド先端のロッド溝８ｂにはめ込み、ロッドが固定筒の突起下から出し入れ可能に連結した、前記構造により取っ手と取っ手アームを同時に握ることで図９Ｂのようにロッド８ａが固定筒の突起９の下に隠れる、図１０により紙容器２４を固定筒７に挿入して固定部を押し下げることで紙容器が切断され、取っ手から手を離し、アームバネ６の働きでロッド８ａが紙容器底部面２６を押し、切断部の押し上げバネ図５の１９ａ、１９ｂ，１９ｃ，１９ｄにより固定部が押し上げられ、図１０の切断部前面２０ａから紙容器底部面２６が外れると同時にアームバネ６で押されていたロッド８ａにより、切断された紙容器底部面２６が固定筒７から飛び出し、手で解体された紙容器を引き出すことが出来る、図１０が紙容器底部面が飛び出した図である、また紙容器を挿入せずに固定部を押し下げることで切断部のロッド穴図１１の１６にロッド８ａが入り切断部１５に固定部１が押し下げられた状態で保管でき、取っ手の前面に取り付けたロックツマミ３で取っ手アームを固定する事が出来る、図１２は取っ手先端のロックツマミにより取っ手アームがロックされた状態を広大した図である。
【００１４】上記記載の構造により、図１の３のロックツマミを回し、取っ手アーム５のロックを解除して、図１の取っ手２と取っ手アーム５を手で握り、紙容器解体器の保管状態を外し、固定筒７に紙容器開口部図７の２５を挿入して固定筒の突起図１の９に紙容器底部面図７の２６が接触するまで押し込み、その後に図１の固定部１を切断部１５まで押し下げる、ここで紙容器の下側面長辺方向中央図７の２７と紙容器底部面すれすれの両側面２８と下側面２９の３箇所が同時に切断され、押した手を離す事で図５の切断部の押し上げバネ１９ａ，１９ｂ，１９ｃ，１９ｄにより固定部が押し上げられ、アームバネ６で押されていたロッド８ａにより、切断された紙容器底部面２６が固定筒から飛び出し解体された紙容器を手で簡単に取り出せる，図１３は解体された牛乳パック等の紙容器を表した斜視図である。
【符号の説明】
【００１５】１固定部
２取っ手
３ロックツマミ
４ａアームピン
４ｂアーム後部先端
５取っ手アーム
６アームバネ
７固定筒
８ａロッド
８ｂロッド溝
９突起
１０固定筒溝
１１固定部後部内面
１２固定筒後部外面
１３ａ凸状スライド面
１３ｂ凸状スライド面
１４ａはずれ防止溝
１４ｂはずれ防止溝
１５切断部
１６ロッド穴
１７ａ凹状スライド溝
１７ｂ凹状スライド溝
１８ａはずれ防止ネジ
１８ｂはずれ防止ネジ
１９ａ押し上げバネ
１９ｂ押し上げバネ
１９ｃ押し上げバネ
１９ｄ押し上げバネ
２０ａ切断部前面
２０ｂ切断部後部面
２１ａ山形状前面刃
２１ｂ山形状側面刃
２２切断刃基台
２３レール溝
２４紙容器
２５開口部
２６紙容器底部面
２７紙容器下側面長辺方向中央
２８底部面すれすれの両側面
２９底部面すれすれの下側面
３０押上げバネレール
３１刃幅
３２間の刃
【図１】
2014161999.tif 000003
【図２】
2014161999.tif 000004
【図３】
2014161999.tif 000005
【図４】
2014161999.tif 000006
【図５】
2014161999.tif 000007
【図６】
2014161999.tif 000008
【図７】
2014161999.tif 000009
【図８】
2014161999.tif 000010
【図９】
2014161999.tif 000011
【図１０】
2014161999.tif 000012
【図１１】
2014161999.tif 000013
【図１２】
2014161999.tif 000014
【図１３】
2014161999.tif 000015